(57)【要約】【課題】メイン電源が供給されていない場合に制御基板が取り外されたことを確実に検知し、不正な基板により遊技が実行されることを確実に防止することが可能なパチンコ機を提供する。【解決手段】基板ケースの取り外しにより断電又は通電動作するスイッチと、基板ケース内の制御基板に対して電力を供給するメイン電源供給手段と、メイン電源供給手段の電力断電時においてスイッチに基板着脱検知信号を供給するバックアップ電源供給手段と、スイッチと接続され、バックアップ電源から出力される基板着脱検知信号の断電又は通電を検知する異常検出手段とを備えた構成とした。【選択図】図１
2013056059.tif 000002
【特許請求の範囲】
【請求項１】
基板ケースの取り外しにより断電又は通電動作するスイッチと、
前記基板ケース内の制御基板に対して電力を供給するメイン電源供給手段と、
前記メイン電源供給手段の電力断電時において前記スイッチに基板着脱検知信号を供給するバックアップ電源供給手段と、
前記スイッチと接続され、前記バックアップ電源供給手段から出力される基板着脱検知信号の断電又は通電を検知する異常検出手段と、
を備えたパチンコ機。
【請求項２】
前記スイッチが、前記基板ケースを搭載可能な基板アダプタに設けられ、
前記基板アダプタが、前記基板ケースが取り外された状態において前記スイッチを断電又は通電動作させる可動レバーを備えた請求項１記載のパチンコ機。
【請求項３】
前記異常検出手段が、基板着脱検知信号の断電又は通電を検知したことに基づいて所定レベルの電圧を有する異常検知信号をメイン電源供給手段の電力通電時まで出力し続ける請求項１又は請求項２記載のパチンコ機。
【発明の詳細な説明】
【技術分野】
【０００１】
本発明は、遊技機に関し、特に不正改造を防止可能なパチンコ機に関する。
【背景技術】
【０００２】
近年、遊技機の一例としてのパチンコ機には、遊技全般を統括する主制御基板と、主として遊技の進行に合った演出動作を統括する演出制御装置とが搭載されており、主制御基板側において実行される大当り抽選処理の結果により演出コマンドが生成され、該演出コマンドを受信した演出制御装置が抽選処理の結果を遊技者に対して報知する態様により、各種の演出処理を実行する構成となっている。また、近年においては、パチンコ機を不正に改造することによって不正な大当りを得ようとする所謂ゴト行為と呼ばれる不正行為が横行しており、具体的にはパチンコ機へのメイン電源の供給がなされていない夜間等を見計らって大当り抽選処理を実行する主制御基板を遊技盤から取り外し、主制御基板上に搭載されたＲＯＭを不正なプログラムが書き込まれたＲＯＭに交換する等して、例えば、通常のプログラムではあり得ない頻度で大当りを得ることができるパチンコ機に改造する不正行為が行われている。
このような不正行為を防止するために、特許文献１には、メイン電源が供給されていない場合において、バックアップ電源からの電源供給により不正を監視する構成の遊技機が開示されているが、主制御基板を取り外す行為を直接的に検知する構成とはなっておらず、不正行為の防止により一層の改善が求められる。
【先行技術文献】
【特許文献】
【０００３】
【特許文献１】ＷＯ  ２００８／１３９７２２  Ａ１
【発明の概要】
【発明が解決しようとする課題】
【０００４】
本発明は、上記事情に鑑みてなされたものであって、メイン電源が供給されていない場合に制御基板が取り外されたことを確実に検知し、不正な基板により遊技が実行されることを確実に防止することが可能なパチンコ機を提供する。
【課題を解決するための手段】
【０００５】
上記課題を解決するためのパチンコ機に係る構成として、基板ケースの取り外しにより断電又は通電動作するスイッチと、基板ケース内の制御基板に対して電力を供給するメイン電源供給手段と、メイン電源供給手段の電力断電時においてスイッチに基板着脱検知信号を供給するバックアップ電源供給手段と、スイッチと接続され、バックアップ電源から出力される基板着脱検知信号の断電又は通電を検知する異常検出手段とを備えた構成とした。
本構成によれば、基板ケースの取り外しにより断電又は通電動作するスイッチに対して、メイン電源供給手段の電力断電時において基板着脱検知信号を供給し、異常検出手段が基板着脱検知信号の断電又は通電を検知することから、基板着脱検知信号の有無によって基板ケースが取り外されたことを確実に検知することができる。
また、スイッチを基板ケースを搭載可能な基板アダプタに設け、基板アダプタに基板ケースが取り外された状態においてスイッチを断電又は通電動作させる可動レバーを設けることが好ましい。また、異常検出手段が、基板着脱検知信号の断電又は通電を検知したことに基づいて所定レベルの電圧を有する異常検知信号をメイン電源供給手段の電力通電時まで出力し続けることが好ましい。
【０００６】
なお、上記発明の概要は、本発明の必要な特徴の全てを列挙したものではなく、特徴群を構成する個々の構成もまた発明となり得る。
【図面の簡単な説明】
【０００７】
【図１】パチンコ機の制御ブロック図である。
【図２】パチンコ機の概略正面図である。
【図３】主制御基板及び副制御基板の回路構成を示す図である。
【図４】基板アダプタ及び主制御基板を示す断面図である。
【図５】パチンコ機の概略背面図である。
【図６】基板アダプタの平面図である。
【発明を実施するための形態】
【０００８】
以下、発明の実施形態を通じて本発明を詳説するが、以下の実施形態は特許請求の範囲に係る発明を限定するものではなく、また実施形態の中で説明される特徴の組み合わせの全てが発明の解決手段に必須であるとは限らない。
【０００９】
図１は、遊技機の一例としてのパチンコ機１の制御系を示すブロック図であり、図２は、パチンコ機１を正面からみた概略図、図５は、パチンコ機１を背面からみた概略図である。同図を用いてパチンコ機１の概要について説明する。
図１に示すように、パチンコ機１の制御装置は、遊技全般の処理を司る主制御基板１００、及び、主制御基板１００によって生成されるコマンドに基づいて動作する演出制御基板２００を主たる制御基板として備え、各制御基板に接続された遊技装置を制御する。
また、図５に示すように、主制御基板１００は、後述する基板ケース１１０内に格納され、演出図柄表示装置５０の下方に装着された基板アダプタ６０上に配設される。基板アダプタ６０は、周囲に設けられた複数の固定部６０Ｂを介してセット板２Ａの背面に配設される。図５に示すようにセット板２Ａは、遊技盤２の略全域を覆うように装着される盤体であって、当該セット板２Ａの背面には、主制御基板１００の他、図外の演出制御基板２００や払出制御部３００及び発射制御部４００等の他の制御部がアダプタを介して装着される。  
なお、主制御基板１００と演出制御基板２００、払出制御部３００及び発射制御部４００とは、基板アダプタ６０又は基板ケース１１０に複数設けられたコネクタ挿入部６０Ａを介して図外のケーブル等により通信可能に接続されている。
【００１０】
図１に示すように、主制御基板１００の入力側には、始動球検出器３０、一般球検出器３２，大入賞検出器３４等を始めとする複数の球検出器が図外のインターフェイスを介して接続されている。なお、主制御基板１００には、上記検出器の他、図外の通過式のゲートスイッチ等も接続されており、始動球検出器３０や大入賞検出器３４を複数設けた構成としてもよい。
図２に示すように、パチンコ機１の遊技盤２の前面には、入賞部品としての始動入賞部品４、一般入賞部品６、大入賞部品８が個別に配設されており、内ガイドレール９及び外ガイドレール１０で囲まれた遊技領域２Ｂ内に打ち出された球は、不図示の釘や障害物によって下方に誘導されながら各入賞口に入球、或いは、入球することなく遊技盤２の最下部に開設されたアウト口１１から回収される。
【００１１】
始動球検出器３０、一般球検出器３２、大入賞検出器３４は、それぞれ始動入賞部品４、一般入賞部品６、大入賞部品８に対応して設けられた、例えば球の直径よりも僅かに大径な検出孔を有する近接センサーであって、各入賞部品に取り込まれた球の流下経路上において、球の通過時間に応じた幅を有するパルス信号を主制御基板１００側に出力する。
【００１２】
図１に示すように、主制御基板１００は、前記各検出器からの入力に基づいて演出制御基板２００、払出制御部３００、発射制御部４００に対して制御コマンドを送信する処理や、大入賞ソレノイド４０及び特別図柄表示装置４１に駆動信号を出力する処理を実行する所謂コンピュータである。主制御基板１００は、所定の遊技用プログラムが格納されたＲＯＭと、ＲＯＭに格納されたプログラムに従って動作する演算手段としてのＣＰＵ、演算に必要なデータやコマンドを一時的に格納するＲＡＭ及び不図示のＩ／Ｏポート等の通信手段とを備え、演出制御基板２００等を始めとする各制御部、或いは、駆動部品と接続されている。
【００１３】
主制御基板１００には、電源供給部１５０を介して外部電源が入力されており、電源供給部１５０は、外部から入力される電力の電圧を各制御部の動作に必要な直流電圧に変換して供給する。また、演出制御基板２００、払出制御部３００、発射制御部４００には、主制御基板１００から延長する不図示の電源供給線を介して電源供給部１５０からの電力が供給されている。つまり、電源供給部１５０からの電力は、主制御基板１００を経由して各制御部に供給される。また、電源供給部１５０には、電源スイッチが設けられており、当該電源スイッチがＯＮ動作されることにより、パチンコ機１が起動する。つまり、電源供給部１５０はパチンコ機１におけるメイン電源供給手段である。なお、主制御基板１００を経由せずに、電源供給部１５０から各制御部に対して直接電源を供給する構成としてもよい。
【００１４】
演出制御基板２００は、主制御基板１００からの各種の制御コマンドを受信し、コマンドの種類に応じて図２に示す表示灯４７、スピーカ４８、保留ランプ４９及び演出図柄表示装置５０を駆動制御する。演出制御基板２００は、主制御基板１００と同様に所定のプログラムが格納されたＲＯＭ、ＲＯＭに格納されたプログラムに従って動作する演算手段としてのＣＰＵ、演算に必要なデータやコマンドを一時的に格納するＲＡＭ及び不図示の通信手段とを備えており、遊技の進行に合わせて出力側に接続された上述の遊技部品を駆動制御する。また、演出制御基板２００には、メイン電源供給手段である電源供給部１５０に対するサブのバックアップ電源供給手段としてのバックアップ電源回路２０５、及び、異常検出手段としてのラッチ回路２１０が設けられている。
【００１５】
払出制御部３００は、主制御基板１００から送信される払出コマンドに基づいて払出機構３５０を駆動制御し、遊技盤２上に複数配設された入賞部品への球の入球に対する対価としての賞球を払い出す。主制御基板１００は、例えば、始動球検出器３０からの入力を契機として賞球を３個払い出すべき情報を含む払出コマンドを生成し、払出制御部３００に送信する。なお、賞球数は例えば一般入賞部品６への入球に対して５個、大入賞部品８の入球に対して１５個として予め設定されている。
【００１６】
発射制御部４００は、主制御基板１００から送信される発射許可コマンドに基づいて打出機構４５０を駆動制御し、球を遊技盤２上に連続的に打ち出させる。図２に示すように打出機構４５０は、双方向に回動可能なハンドル部を有し、ハンドル部が右方向に回動されることにより打出しを開始し、左側に回動されることにより打出しが停止する構成である。また、打出機構４５０には、遊技者の接触を感知する図外のタッチセンサーが内蔵されており、発射制御部４００は、タッチセンサーからの入力がない場合、打出し動作を禁止する。
【００１７】
以下、上記構成からなるパチンコ機１の遊技の流れについて概説する。遊技領域２Ｂ上に打ち出された球が遊技盤２の略中央に配設された始動入賞部品４に入球すると、入球した球は始動球検出器３０によって検出され、始動球検出信号が主制御基板１００側に出力される。主制御基板１００は、始動球検出信号が入力されたことを契機として特別図柄当否判定処理（以下、特図判定処理という。）、特別図柄変動処理（以下、特図変動処理という。）、演出図柄変動処理、及び、払出し制御処理を実行する。以下、各処理について説明する。
【００１８】
特図判定処理は、大当り判定処理とも呼ばれ、主制御基板１００のＣＰＵが始動球検出信号の入力を契機として、不図示の当否判定用乱数カウンタから値（乱数）を取り込み、当該乱数が「当り」又は「外れ」に対応する値であるかを判定する処理である。具体的には、主制御基板１００のＲＯＭ内には、複数の乱数と各乱数に対応する結果（「当り」又は「外れ」）が対応付けられて規定された当否判定テーブルが格納されており、始動球検出信号の入力を契機として読み込まれた乱数と、当否判定テーブルとを照合することにより、取得された乱数が「当り」又は「外れ」に対応するものであるかが判定される。
【００１９】
特図変動処理、及び、演出図柄変動処理は、上述の特図判定処理の結果に基づいて特別図柄表示装置４１上に表示される特別図柄、及び、演出図柄表示装置５０上に表示される演出図柄を変動表示させ、特図判定処理の結果を示す所定の態様により停止表示させる処理である。
【００２０】
具体的には、特図判定処理の結果が「当り」である場合には、主制御基板１００が特別図柄表示装置４１を駆動制御し、特別図柄表示装置４１を構成する７セグメントランプやＬＥＤランプを所定時間変動させた後、特図判定処理の結果が「当り」であることを示す態様（例えば、同一の数字や記号のゾロ目や「当り」を示すＬＥＤランプの組み合わせ）で停止表示させる。
一方、特図判定処理の結果が「外れ」である場合には、特別図柄表示装置４１を構成する７セグメントランプやＬＥＤランプを所定時間変動させた後、特図判定処理の結果が「外れ」であることを示す態様（例えば、互いに異なる数字や記号の並び目や「外れ」を示すＬＥＤランプの組み合わせ）で停止表示させる。
【００２１】
主制御基板１００は、特別図柄表示装置４１の駆動制御とともに、演出制御基板２００に対して表示制御コマンドを送信し、演出制御基板２００による演出図柄表示装置５０の駆動制御を実行させる。表示制御コマンドには、演出図柄の変動開始から変動停止までの変動時間、予告演出の有無やその態様、リーチ演出の有無やその態様、及び、停止図柄等に関する各種の情報が含まれており、表示制御コマンドを受信した演出制御基板２００は、表示制御コマンドの内容を解析し、コマンドの内容応じて必要な演出データ等をＲＯＭから読み出して演出図柄表示装置５０を駆動制御する。
【００２２】
予告演出やリーチ演出の有無や態様、或いは、停止図柄の種別は、例えば前述の当否判定用乱数カウンタとは別に設けられた各種の乱数カウンタより取得される乱数（変動時間用乱数，予告演出用乱数，リーチ演出用乱数，停止図柄用乱数）と、当該乱数と対応付けられた情報が規定されたデータテーブルとから決定される。また、これらの乱数は、当否判定用乱数と同様に、始動球検出器３０からの入力を契機として取得される。
【００２３】
例えば、前述の特図判定処理の結果が「当り」である場合には、演出制御基板２００は、表示制御コマンドに基づいて所定時間の間、数字や特定のキャラクターより構成される複数の演出図柄（図示の例は数字の「７」）を上下方向にスクロール表示させ、３つの演出図柄のうち、２つの演出図柄を同一の図柄で先行して停止させることによりリーチ状態を生成する。そして、例えば所謂スーパーリーチ演出を経た後に、残る１つの演出図柄を他の２つの演出図柄と同一の図柄により停止表示させることによって、遊技者に対して特図判定処理の結果が「当り」であることを報知する。
【００２４】
一方、特図判定処理の結果が「外れ」である場合には、複数の演出図柄を上下方向にスクロール表示させ、リーチ状態を生成又は生成することなく３つの演出図柄を停止表示させて、遊技者に対して特図判定処理の結果が「外れ」であることを報知する。
なお、リーチ状態が生成された場合には、残る１つの演出図柄は、スーパーリーチ演出を経て、或いは、経ることなくリーチ状態を生成した図柄と異なる図柄で停止表示されることとなる。
また、特別図柄表示装置４１上に表示される特別図柄と、演出図柄表示装置５０上に表示される演出図柄との変動開始時期、変動表示時間、変動停止時期は互いに略同期しており、特図判定処理の結果が、特別図柄及び演出図柄によって略同時期に報知される。なお、主制御基板１００から送信されるコマンドは表示制御コマンドのみではなく、遊技の進行によって表示灯４７，スピーカ４８，保留ランプ４９を駆動制御するための各種のコマンドも送信される。
【００２５】
特図判定処理の結果が「当り」であり、特別図柄及び演出図柄が「当り」を示す態様で停止表示された後には、大当り遊技処理が実行される。大当り遊技とは、主制御基板１００が、大入賞ソレノイド４０を駆動し、大入賞部品８が有する開閉体を開放状態とする遊技者にとって有利な遊技である。開閉体が開放状態となることにより、遊技盤２上に打ち出された球は、大入賞部品８内に入球可能となり、内部に配設された大入賞検出器３４によって検出される。開閉板の１回（１ラウンド）の開放動作は、開放開始から大入賞検出器３４により球が１０個検出されるまで、又は、開放開始から２４秒経過するまでのうち、いずれか早い条件が成立するまで継続する。そして、当該開放動作が最大１５回（１５ラウンド）まで繰り返されることにより、前述の払出制御部３００の駆動制御によって、その間に入球した球に対する賞球が一時に大量（１５×１０×１５＝２２５０個）に払い出されることとなる。
【００２６】
以下、図３乃至図６を参照して上記構成からなるパチンコ機１の主制御基板１００、及び、演出制御基板２００の主要な構成について説明する。
図３に示すように、演出制御基板２００上には、電源供給部１５０からの電力が供給されない場合（断電時）に電力を供給するバックアップ電源供給手段としてのバックアップ電源回路２０５と、バックアップ電源回路２０５から供給される駆動信号により動作する異常検出手段としてのラッチ回路２１０が配設される。
【００２７】
バックアップ電源回路２０５は、上述の電源供給部１５０からの電力が供給されていない場合、即ち、電源供給部１５０の電源スイッチがＯＦＦである場合に、後述の基板アダプタ６０のスイッチ６５に対して、例えば５Ｖ以下の微弱な基板着脱検知信号を出力するとともに、該基板着脱検知信号の断電又は通電を検知するラッチ回路２１０の駆動信号をそれぞれ出力する。
【００２８】
バックアップ電源回路２０５は、例えば、主制御基板１００の出力部からメインの電源供給線とは別のバックアップ電力供給線を経由した電力が入力する入力部２０５Ａ、電源供給部１５０又は二次電池２０５Ｅから出力される電力をスイッチ６５及びラッチ回路２１０側に出力する出力部２０５Ｂと、抵抗２０５Ｃ，ダイオード２０５Ｄとを備える。入力部２０５Ａには、電源供給部１５０より所定の電力が供給されており、当該入力部２０５Ａは、抵抗２０５Ｃを介してダイオード２０５Ｄのアノード側と接続される。出力部２０５Ｂは、ダイオード２０５Ｄのカソード側に接続される。また、二次電池２０５Ｅの陽極は、ダイオード２０５Ｄのカソード及び出力部２０５Ｂ間に図外の信号線を介して接続されている。
【００２９】
同図において、電源供給部１５０から入力部２０５Ａに対して例えば５．３Ｖの電力が供給されているとすると、該電力はダイオード２０５Ｄにより５Ｖ程度に降下し、出力部２０５Ｂから出力される。また、このとき二次電池２０５Ｅは電源供給部１５０からの電力により常時充電される。
一方、電源供給部１５０の図外のスイッチがＯＦＦ動作され、電源供給部１５０からの電力供給がなくなった場合、充電された二次電池２０５Ｅからの出力が開始され、出力部２０５Ｂと接続された信号線を介して基板アダプタ６０に設けられたスイッチ６５に対して基板着脱検知信号が供給される。また、出力部２０５Ｂと接続された信号線を介してラッチ回路２１０に対して駆動信号が供給される。
以下、図４乃至図６を参照してスイッチ６５の構成について説明する。
【００３０】
図４（ａ），（ｂ）は、図６に示す基板アダプタ６０のＡ−Ａ線断面図である。同図に示すようにスイッチ６５は、基板アダプタ６０に設けられる押しボタンスイッチであって、前述の出力部２０５Ｂから延長する図外の信号線が一方の端子に接続され、他方の端子には、ラッチ回路２１０まで延長する信号線が接続される。また、本実施例においてスイッチ６５は、ＮＣ接点（ｂ接点）として構成され、後述する可動レバー６６による押下がなされたことに基づいて、バックアップ電源回路２０５から出力された基板着脱検知信号を遮断する（断電動作）構成である。
なお、スイッチ６５をＮＯ接点（ａ接点）として構成し、後述する可動レバー６６による押下がなされた場合のみに、基板着脱検知信号をラッチ回路２１０側に出力する（通電動作）構成としてもよいが、演出制御基板２００が取り外されることによりバックアップ電源回路２０５を喪失した場合において、当該行為を検知するため、セキュリティ向上の観点からスイッチ６５はＮＣ接点として構成するのが望ましい。
【００３１】
図４（ａ）に示すように基板アダプタ６０は、セット板２Ａの背面側に図５，図６に示す複数の固定部６０Ｂを介して配設される例えば樹脂製の盤体である。基板アダプタ６０におけるセット板２Ａの背面と対向する壁部の表面６１には、基板ケース締結部６２と、前述のスイッチ６５が配設された可動レバー収容部６４とが形成される。
基板ケース締結部６２は、基板アダプタ６０の表面６１から後方に突出し、基板ケース１１０に挿入される抜け止めピン１２０の先端部を受け入れ可能な挿入孔６２Ａを有する。抜け止めピン１２０が挿入孔６２Ａ内にひとたび挿入された場合、抜け止めピン１２０は挿入孔６２Ａ内においてかしめられた状態で強固に固定され、例えば抜け止めピン１２０自体をニッパー等の工具により切断しない限り、基板ケース１１０を基板アダプタ６０から取り外すことが不可能となる。即ち、基板アダプタ６０は、主制御基板１００が収容された基板ケース１１０を遊技盤２の背面に対して強固に接続する部材である。
【００３２】
可動レバー収容部６４は、基板ケース１１０と接する表面６１より前方に立ち上がる壁部６４Ａと、該壁部６４Ａの後端部と接続し、側方に延在するスプリング設置壁部６４Ｂ、及び該壁部６４Ａの前端部と接続し、スプリング設置壁部６４Ｂと平行に側方に延在する壁部６４Ｃとにより形成される空間である。可動レバー収容部６４内には、前述のスイッチ６５と、該スイッチ６５を押下する可動レバー６６、及び、可動レバー６６をスイッチ６５方向へ付勢するスプリング６７が収容される。スイッチ６５は、壁部６４Ｃ上においてそのボタン部６５Ａが後方のスプリング設置壁部６４Ｂと対向するように配設される。
【００３３】
可動レバー６６は、スイッチ６５、及び、スプリング設置壁部６４Ｂに配設されたスプリング６７の間において左右方向に延在する断面くの字状の棒体であって、左右方向中心部に設けられた回転部６６Ａを中心として前後方向に傾動可能である。可動レバー６６における一方の端部６６Ｂは、基板ケース１１０が基板アダプタ６０に適正に接続された場合において、後述する基板ケース１１０から突出するリブ１１４によって前方に押し込まれており、スイッチ６５及びスプリング６７の間に位置する他方の端部６６Ｃは、スプリング６７の付勢力に抗してスプリング６７を収縮させ、スイッチ６５のボタン部６５Ａから離間した状態に維持される。
【００３４】
一方、図４（ｂ）に示すように基板ケース１１０が、基板アダプタ６０から不正行為者等によって取り外され、リブ１１４による端部６６Ｂの押し込みが開放された場合、スイッチ６５とスプリング６７との間に介在する他方の端部６６Ｃは、スプリング６７の付勢力によってスイッチ６５の方向に傾動し、スイッチ６５のボタン部６５Ａを押下する。
そして、ボタン部６５Ａが可動レバー６６に押下されるに伴い、スイッチ６５を経由してラッチ回路２１０側に出力されているバックアップ電源回路２０５からの基板着脱検知信号が断電し、当該断電状態が論理回路として構成されたラッチ回路２１０によって保持される。なお、ラッチ回路２１０による断電状態の保持については後述する。
【００３５】
基板アダプタ６０と接続される基板ケース１１０は、基板アダプタ６０の表面６１と対向し、図外のボス部を介して主制御基板１００を支持する収容器１１１と、該収容器１１１の後方開口部を閉塞し、収容器１１１と組み合わされることにより、主制御基板１００の収容空間を形成する収容蓋１１５とから構成される。図６に示すように、収容器１１１及び収容蓋１１５は、複数の加締め部１１６を介して封印された状態で組み合わされており、封印を解除するには加締め部１１６を切断具により切断する必要がある。
収容器１１１は、樹脂により形成された後方開口の箱型であって、その外表面に抜け止めピン１２０を挿通可能な締結片部１１２、及び、前述した可動レバー６６の端部６６Ｂを前方に押し込むリブ１１４を備える。
【００３６】
締結片部１１２は、収容器１１１の側壁１１１Ａから基板アダプタ６０に形成された基板ケース締結部６２の周囲を囲繞する断面Ｌ字状に延在する片であって、基板ケース締結部６２の挿入孔６２Ａと一致する位置において開設された挿入孔１１２Ａを有する。挿入孔１１２Ａ；６２Ａには、前述の抜け止めピン１２０が抜け止め不能に挿入され、締結片部１１２を介して基板ケース１１０が基板アダプタ６０に対して強固に接続される。
リブ１１４は、基板アダプタ６０の表面６１と対向する底壁１１１Ｂから前方に向かって突出する壁部であって、基板ケース１１０が基板アダプタ６０に適切に接続された状態において、先端部１１４Ａが可動レバー収容部６４内に収容された可動レバー６６の端部６６Ｂと当接し、端部６６Ｂを前方に押し込む。
【００３７】
収容蓋１１５は、前方開口の板体であって、周囲に形成された側壁１１５Ａが収容器１１１の側壁１１１Ａの内周面と接し、両面が密着した状態で組み合わされる。収容蓋１１５は、内部に収容された主制御基板１００と対向する後壁にコネクタ挿入部６０Ａが複数設けられており、主制御基板１００からのコマンドや信号がコネクタ挿入部に接続されたケーブルや信号線を介して他の演出制御基板２００等の制御部に対して送信，出力される。
【００３８】
以上説明したように、本実施形態に係る基板アダプタ６０は、主制御基板１００が内部に収容された基板ケース１１０の取り外しによって断電又は通電動作するスイッチ６５を備えており、該スイッチ６５の動作によってバックアップ電源回路２０５から出力される基板着脱検知信号が断電又は通電することから、当該基板着脱検知信号の有無により、基板ケース１１０を基板アダプタ６０から取り外す不正行為を確実に検知することができる。
【００３９】
図３に戻り、スイッチ６５を介して基板着脱検知信号が入力するラッチ回路２１０について説明する。ラッチ回路２１０は、例えばエッジトリガー型のフリップフロップであって、スイッチ６５からの基板着脱検知信号の立下り又は立ち上がり、即ち、基板ケース１１０が基板アダプタ６０より取り外され、基板着脱検知信号が断電又は通電を検知したことに基づいて、例えばロウからハイレベルに相当する所定の電圧を保持し、ＣＰＵとの間に設けられた図外の入力ポートに対して出力する。
つまり、本実施形態におけるラッチ回路２１０は、基板着脱検知信号の断電又は通電を検知するとともに、断電又は通電の検知に基づいてＣＰＵ側に異常検知信号を出力する異常検出手段として機能する。なお、通電を検知する場合とは、前述のスイッチ６５がＮＯ接点として構成された場合であり、この場合、ラッチ回路２１０は、基板着脱検知信号の通電を検知したことに基づいて、例えばロウからハイレベルに相当する電圧を保持することとなる。
【００４０】
また、入力ポートに対する異常検知信号の出力は、演出制御基板２００に搭載されたＣＰＵの処理により、ラッチ回路２１０に対してリセット信号が出力されるまで継続し、演出制御基板２００のＣＰＵは、メイン電源供給時に入力ポートの状態（例えば論理値（１））を読み込むことにより、メイン電源断電中に基板ケース１１０が基板アダプタ６０から取り外されたことを検知することができる。
【００４１】
以下、メイン電源断電時及び通電時に実行される主制御基板１００及び演出制御基板２００の処理について概説する。例えば、メイン電源が電源供給部１５０により主制御基板１００に対して供給され、パチンコ機１が起動している状態において電源供給部１５０の図外のスイッチがＯＦＦ動作された場合、主制御基板１００のＣＰＵは、特図判定処理によって取得した当否判定用乱数や当該特図判定処理に基づいて生成された各種の制御コマンドや駆動信号を主制御基板１００に設けられた図外のバックアップ用ＲＡＭ又はＲＡＭの記憶領域内に予め設けられた退避領域内に記憶し、メイン電源断電時までに生成された各種のデータを保持する。また、主制御基板１００のＣＰＵは、メイン電源が断電したことに基づいて演出制御基板２００側に断電コマンドを送信し、演出制御基板１００のＣＰＵにデータ退避処理を実行させる。
【００４２】
断電コマンドを受信した演出制御基板１００のＣＰＵは、主制御基板１００と同様に、主制御基板１００からのコマンドに基づいて生成した駆動制御コマンドや駆動制御信号を図外のバックアップ用ＲＡＭ又はＲＡＭの記憶領域内に予め設けられた退避領域内に記憶し、メイン電源断電時までに生成された各種のデータを保持する。上記処理により、断電前の遊技状態は、次回の通電時における遊技状態として引き継がれる。
【００４３】
次に、メイン電源が電源供給部１５０により主制御基板１００に対して供給されておらず、パチンコ機１が停止した状態において、電源供給部１５０の図外のスイッチがＯＮ動作された場合、主制御基板１００のＣＰＵは、断電時において保持した各種のデータをバックアップ用ＲＡＭ又はＲＡＭの記憶領域内に予め設けられた退避領域から読み出すとともに、演出制御基板２００側に通電コマンドを送信し、演出制御基板２００のＣＰＵに対してデータ読み込み処理を実行させる。当該処理により、断電前の遊技状態に復帰する。
なお、図外のＲＡＭクリアスイッチがＯＮ動作された場合、主制御基板１００及び演出制御基板２００のＣＰＵは、ＲＡＭ内に退避させた各種のデータを初期化し、遊技状態を初期状態に復帰させる処理を実行する。
【００４４】
メイン電源投入時において演出制御基板２００のＣＰＵは、上記データの読み込み処理又はデータの初期化処理を含むイニシャライズ処理の前又は後に異常状態判定処理を実行する。本実施形態における異常状態判定処理は、メイン電源投入後に起動する入力ポートの状態を読み込むことにより実行される。
具体的には、前述のとおりメイン電源断電中において、基板ケース１１０が取り外された場合、入力ポートには異常検知手段としてのラッチ回路２１０からハイレベル信号（異常検知信号）が出力されることとなるため、入力ポートの状態を読み込むことにより異常状態を判定することが可能となる。例えば、ラッチ回路２１０からハイレベル信号が出力された場合においては入力ポートの理論値が（１）として表され、演出制御基板２００のＣＰＵは入力ポートの理論値が（１）であることに基づいて異常状態である旨の判定を行う。
【００４５】
演出制御基板２００のＣＰＵは、異常状態判定処理の結果、異常状態である旨の判定を行った場合、演出図柄表示装置５０を駆動制御して、演出図柄表示装置５０上に例えば、主制御基板１００の交換が行われたことを示唆する警告表示を表示し、その旨をパチンコ機１を設置する遊技店の店員等に報知する。
一方、上記報知処理後には、図外の出力ポートを介してラッチ回路２１０にリセット信号を供給し、初期状態に復帰させる。このように、演出制御基板２００のＣＰＵが、異常状態判定手段として機能し、異常状態であることを判定した場合にその旨を演出図柄表示装置５０を通じて報知することから、電源投入後に不正に交換された主制御基板１００を搭載したパチンコ機１によって遊技が実行されることを確実に防止することができる。
【００４６】
以上、本発明を実施の形態に基づいて説明したが、本発明の技術的範囲は上記実施形態に何ら限定されることはなく、実施形態を組み合わせて多様な変更、改良を行い得ることが当業者において明らかである。また、そのような多様な変更、改良を加えた形態も本発明の技術的範囲に含まれ得ることが特許請求の範囲の記載から明らかである。
例えば、上記実施形態においては、バックアップ電源回路２０５及びラッチ回路２１０を演出制御基板２００に搭載する構成としたが、これに限られるものではなく、主制御基板１００及び演出制御基板２００とは別の基板を設け、該基板に搭載するようにしてもよい。
【００４７】
また、上記実施形態においては、基板アダプタ６０に可動レバー６６を設け、該可動レバー６６の傾動動作によりスイッチ６５のボタン部６５Ａを押下するものとしたが、可動レバー６６を排除した構成とすることも可能である。
即ち、基板アダプタ６０における基板ケース１１０と対向する表面上に直接スイッチ６５を配設し、基板ケース１１０の外表面でスイッチ６５のボタン部６５Ａを直接押し込んだ状態としてもよい。この場合、スイッチ６５はＮＣ接点とするのが好ましく、基板ケース１１０が取り外された場合において、基板着脱検知信号が断電する構成とすればよい。
【００４８】
また、上記実施形態においては、基板ケース１１０を基板アダプタ６０を介して遊技盤２の背面側に配設する構成としたが、これに限られるものではなく基板アダプタ６０を排除して基板ケース１１０を遊技盤２の背面に直接配設する構成としてもよい。そして、この場合、スイッチ６５は遊技盤２における基板ケース１１０と対向する遊技盤２の表面上に直接設けられる。
【符号の説明】
【００４９】
１  パチンコ機，２  遊技盤，２Ａ  セット板，２Ｂ  遊技領域，３０  始動球検出器，
３２  一般球検出器，３４  大入賞検出器，６０  基板アダプタ，６５  スイッチ，
６６  可動レバー，１００  主制御基板，１１０  基板ケース，１１４  リブ，
１５０  電源供給部，２００  演出制御基板，２０５  バックアップ電源回路，
２１０  ラッチ回路。
【図１】
2013056059.tif 000003
【図２】
2013056059.tif 000004
【図３】
2013056059.tif 000005
【図４】
2013056059.tif 000006
【図５】
2013056059.tif 000007
【図６】
2013056059.tif 000008